(57)【要約】      （修正有）【課題】スイング動作中にゴルフボールを確りと見ることができるゴルフ用メガネを提供する。【解決手段】サングラス１００の何れか一方のグラス縦幅を拡張し、前記グラスの下部領域に度付き透明レンズ２００が具備され、前記度付き透明レンズが顔面側の方向に向かって１０°から２５°傾斜して取り付けられたことを特徴とする。【選択図】図４
0003208530.tif 000002
【実用新案登録請求の範囲】
【請求項１】
サングラスの何れか一方のグラスに対して、前記グラスの下部領域に透明の度付きレンズが顔面側に向かって１０°から２５°傾斜して取り付けられたことを特徴とするゴルフ用メガネ
【考案の詳細な説明】
【技術分野】
【０００１】本考案は、ゴルフ・スイング時において、ヘッドアップが原因である軸振を防止するために用いられるゴルフ用メガネに関する。
【背景技術】
【０００２】ゴルフでのセットアップは構える体の形を決める動作であり足の幅、ひざ、前傾など基本的な構えからなる。特に、ゴルフ・スイングの回転軸は背骨であるため、前傾姿勢は、ひざを軽く曲げた後、尻を突き出し、骨盤から首の骨まで真っ直ぐに伸ばしたまま、骨盤から前傾する必要がある。骨盤を前傾させずに背骨を曲げる猫背では、上半身の捻りが小さくなり、飛距離が短くなるだけでなく軸振の原因にもなる。【０００３】前記セットアップが決まり、ゴルフ・スイングの一連の流れで、アドレスが決まりテイクバックから右後方に片や腰が逃げることを防ぎ、トップオブスイングとなり、次にダウンスイングにてクラブを振り下ろしクラブヘッドのフェースとボールが当たるインパクトに続き、フォロースルーからフィニッシュとなる。【０００４】前記動作において、インパクトの瞬間に傾斜した上体が起き上がらないようにボールを確りと見て頭を動かさないようにすることでダフリやトップを防止できる。言い換えれば、ヘッドアップとはインパクトの瞬間に右打ちのプレーヤーの場合には右目がボールを見ていない事により、即ちボールの行方を予測してインパクト前に頭が動いていることにより生じている現象である。
【特許文献】
【０００５】
【特許文献１】実開平５−６３５７５号
【特許文献２】実開平６−７５５５０号
【特許文献３】実用新案登録３２０４９７９号
【０００６】
【考案の概要】
【考案が解決しようとする課題】
【０００７】正しいセットアップ姿勢やスイング動作を習得するためにゴルフ教室や鏡を見ながらのスイング動作を確認し、調整しているが実際のプレーではミスショットが頻繁に起こっている。そのため、ヘッドアップによるミスショットを矯正するための矯正用メガネが本出願人含めて複数提案されている。【０００８】特許文献１は、色つきレンズの中に更に透明レンズを設けたものであり、透明レンズの面積を小さくしたゴルフ練習用が提案されている。透明レンズでゴルフボールを見ることにより頭の振れを最小にするものであるがゴルフ・スイング時の姿勢、特に骨盤から首の骨まで真っ直ぐに伸ばしたまま、骨盤から前傾する姿勢を矯正するものでない。【０００９】特許文献２は、左右１対の視界限定部を有することを特徴とするゴルフ・スイング用練習メガネであってヘッドアップを防止するためにメガネ・フレームに円形の筒枠を備え、若しくはレンズに遮光部と通光部を備えることでボールに集中させるものである。本考案もヘッドアップを防止するものでありゴルフ・スイング時の姿勢を矯正するものでない。【００１０】従い、ゴルフ・スイング時の姿勢を矯正するために特許文献３に記載するメガネレンズ部の何れか一方に複数のシェードが斜め下方向にのみ視認可能とするゴルフ用メガネおよびゴルフ用オーバーグラスを考案した。しかし、近眼用メガネを掛けた状態で本考案であるゴルフ用オーバーグラスを装着すると近眼用メガネの下側リム部がゴルフボールを遮るために見えづらいという課題があった。【００１１】また、夏場の日差しの強い日でのゴルフでは一般的にサングラス装着してプレーを行うイメージが強いが、冬場では太陽の位置が低いから夏場よりも太陽が目に入ることが多く、逆光の時は勿論、斜光時も裸眼だと太陽光が目に入りやすいため多くのプレーヤーはサングラスを使用する。従い、近眼用メガネの課題およびサングラスの常時装着を勘案すると同時に課題を解決できるゴルフ用メガネはなかった。
【課題を解決するための手段】
【００１２】上記課題に鑑み、考案者は誠意工夫の結果、サングラスの何れか一方のグラスの下端に度付きレンズが顔面側方向に１０°から３０°傾斜して取り付けられたことを特徴とするゴルフ用メガネを提案する。
【図面の簡単な説明】
【００１３】
【図１】通常のサングラスの正面図を示す。
【図２】図１記載のＸ１‐Ｘ２方向の断面図を示す。
【図３】本考案であるゴルフ用サングラスの正面図を示す
【図４】図３記載のＸ１‐Ｘ２方向の断面図を示す。
【図５】幅広グラスの下側を顔面側方向に傾斜させた場合のゴルフ用サングラスの断面図を示す。
【考案を実施するための形態】
【００１４】以下、本考案に係る実施の形態を図面により説明する。
【実施例】
【００１６】フルリム構造（１０）の通常のサングラスの正面図を図１に、図１記載のＸ１−Ｘ２方向の断面図を図２に示す。テンプル部は通常のメガネと同様であり智（２０）とテンプル（３０）は蝶番（７０）で接続され、縦サイズがＷ１のグラス（１００）が嵌め込まれている。【００１７】本考案である右打ちプレーヤー用のフルリム構造（１０）のサングラスの正面図を図３に、図３記載のＸ１−Ｘ２方向の断面図を図４に示している。当該サングラスのフレーム基本構造は通常のサングラスと同様であり智（２０）とテンプル（３０）は蝶番（７０）で接続されており前記テンプル（３０）の先端部はモダン（４０）で構成されているが、右目側のグラスは前記グラス（１００）より縦サイズをＷ２だけ長くした幅広グラス（１５０）が嵌合されている。一方、左目側には前記縦サイズ（Ｗ１）のグラス（１００）の下側に近眼用透明レンズ（２００）が取り付けられている。【００１７】前記近眼用透明レンズ（２００）は、前記グラス（１００）の表面に対して顔面側方向に向かって傾斜角度（Θ）を１０°から２５°にして取り付けられ、当該近眼用透明レンズ（２００）のサイズは右目側のグラス（１５０）を嵌合させるリム（１０）の最下部の高さに一致するように調整すると正面から見たときに見栄えが良くなるために前記右目側のグラス（１５０）の幅は、前記縦サイズ（Ｗ２）をＣＯＳΘにて除すれば良い。【００１８】尚、本考案にかかるゴルフ用メガネの具体的な構成は、実施形態に記載したものに限られるものでなく、考案の要旨を逸脱しない範囲で変更可能である。具体的には、右目側のグラスも近眼用透明レンズ（２００）と同様に幅広グラス（１５０）の下側を顔面側方向に同じ傾斜角度（Θ）として取り付けても良く、断面図を図５に示す。
【考案の効果】
【００１９】本考案によれば、両眼でゴルフボールを見ながらスイングできるため正しい姿勢を維持できるだけでなく、常時ゴルフプレー中に装着することも可能となる。
【符号の説明】
【００２０】１０    リム
２０    智
３０    テンプル
４０    モダン
７０    蝶番
１００  サングラス
１５０  幅広サングラス
２００  度付き透明レンズ
Ｗ１    縦サイズ
Ｗ２    縦サイズ
Θ      傾斜角度
【図１】
0003208530.tif 000003
【図２】
0003208530.tif 000004
【図３】
0003208530.tif 000005
【図４】
0003208530.tif 000006
【図５】
0003208530.tif 000007